(57)【要約】      （修正有）【課題】頭皮に対する刃物の傾斜角度の調整に何らの熟練やこつを必要とすることなく毛髪を切断でき,かつ、指などを損傷するおそれのない安全性にすぐれたヘアーカット用剃刀、および、交換用剃刀を提供する。【解決手段】刃先１２ａを備えた刃物１２をヘアーカット剃刀用母材１４に立起させ、刃先１２ａを刃物１４の立起方向に対して直角方向に配置する。また、取り扱いの傷害を抑制する制御部材１８を刃物１２の刃先１２ａの傍らに設ける。【選択図】図１
2006246905.tif 000002
【特許請求の範囲】
【請求項１】
刃先を備えた少なくとも１個の刃物がヘアーカット剃刀用母材に立起され、該刃先が刃物の立起方向に対して直角方向に配置されてなることを特徴とするヘアーカット用剃刀。    
【請求項２】
刃先を備えた少なくとも２個の刃物がヘアーカット剃刀用母材に立起され、該刃先が刃物の立起方向に対して直角方向に配置されてなるヘアーカット用剃刀において、
少なくとも２個の刃物の刃先が互いに異方向に配置されてなることを特徴とするヘアーカット用剃刀。    
【請求項３】
該刃物の刃先がヘアーカット剃刀用母材の基準線を境にして傾斜されてなることを特徴とする請求項１または２記載のヘアーカット用剃刀。
【請求項４】
刃先を備えた少なくとも２個の刃物がヘアーカット剃刀用母材に立起され、該刃先が刃物の立起方向に対して直角方向に配置され、少なくとも２個の刃物の刃先が互いに異方向に配置されてなるヘアーカット用剃刀において、該刃物は非並列に配置されてなることを特徴とするヘアーカット用剃刀。
【請求項５】
刃先を備えた少なくとも２個の刃物がヘアーカット剃刀用母材に立起され、該刃先が刃物の立起方向に対して直角方向に配置されてなるヘアーカット用剃刀において、
少なくとも２個の刃物の刃先が互いに同方向に配置されてなると共に、該刃物が並列に配置されてなることを特徴とするヘアーカット用剃刀。
【請求項６】
取扱い時の傷害を抑制する制御部材が該刃物の刃先の傍らに設けられてなることを特徴とする請求項１、２、３、４又は５記載のヘアーカット用剃刀。
【請求項７】
取扱い時の傷害を抑制する制御部材がブリッスルを兼ねたものであることを特徴とする請求項１、２、３、４、５又は６記載のヘアーカット用剃刀。
【請求項８】
刃先を備えた少なくとも１個の刃物が剃刀用母材に立起され、該刃先が刃物の立起方向に対して直角方向に配置されてなるものであって、ヘアーカット剃刀本体に着脱自在に設けられてなることを特徴とするヘアーカット交換用剃刀。
【請求項９】
刃先を備えた少なくとも２個の刃物が剃刀用母材に立起され、該刃先が刃物の立起方向に対して直角方向に配置されてなると共に、少なくとも２個の刃物の刃先が互いに異方向に配置されたものであって、ヘアーカット剃刀本体に着脱自在に設けられてなることを特徴とするヘアーカット交換用剃刀。
【請求項１０】
該刃物の刃先が剃刀用母材の基準線を境にして傾斜されてなることを特徴とする請求項８または９記載のヘアーカット交換用剃刀。
【請求項１１】
刃先を備えた少なくとも２個の刃物が剃刀用母材に立起され、該刃先が刃物の立起方向に対して直角方向に配置され、少なくとも２個の刃物の刃先が互いに異方向に配置されると共に該刃物は非並列に配置されてなるものであって、ヘアーカット剃刀本体に着脱自在に設けられてなることを特徴とするヘアーカット交換用剃刀。
【請求項１２】
刃先を備えた少なくとも２個の刃物が剃刀用母材に立起され、該刃先が刃物の立起方向に対して直角方向に配置され、少なくとも２個の刃物の刃先が互いに同方向に配置されてなると共に、該刃物が並列に配置されてなるものであって、ヘアーカット剃刀本体に着脱自在に設けられてなることを特徴とするヘアーカット交換用剃刀。
【請求項１３】
取扱い時の傷害を抑制する制御部材が該刃物の刃先の傍らに設けられてなることを特徴とする請求項８、９、１０、１１又は１２記載のヘアーカット交換用剃刀。
【請求項１４】
取扱い時の傷害を抑制する制御部材がブリッスルを兼ねたものであることを特徴とする請求項８、９、１０、１１、１２又は１３記載のヘアーカット交換用剃刀。
【発明の詳細な説明】
【技術分野】
【０００１】
この発明は、毛髪を部分的に切断するヘアーカット用剃刀およびヘアーカット用剃刀に供するヘアーカット交換用剃刀に関する。
【背景技術】
【０００２】
毛髪の美粧を図ることを目的として、ヘアーカット用剃刀を採用することは広く行われている。
たとえば、特開２００３−１９０６７５公報に記載された形態の発明が知られている。
この例は、該剃刀３０の刃体３２は刃縁３４から飛び出した半円状の突起３６により刃縁３４が断続して被覆され、露出した刃縁３４ａと被覆された刃縁３４ｂが交互に設けられている。
そして、隣接する一対の前記した突起３６、３６間には毛髪の切断時の梳き量を制限することを目的とした溝３８が設けられているものである（図１６、図１７を参照）。
【特許文献１】特開２００３−１９０６７５公報
【発明の開示】
【発明が解決しようとする課題】
【０００３】
しかし、前記の背景技術では毛髪の切断時に前記した刃体３２の露出した刃縁３４ａに供給される毛髪の量は突起３６により安定化する有利性について評価できるとしても、毛髪に対して露出した刃縁３４ａは、周知のこの種の剃刀と同様に直角（十文字状）に臨むことになる（図１８、図１９を参照）。
【０００４】
したがって、剃刀３０を頭部Ｔの頭皮に沿わせて移動することにより、毛髪Ｈを確実に切断できることを否定するものではないものの、次の点に問題があった。
毛髪Ｈに対して露出した刃縁３４ａが直角に臨むことになるから、とかく過剰に毛髪Ｈを切断するおそれを回避できなかった。
【０００５】
この点をさらに、図１６〜図１９を参照して説明すると、刃体３２の刃縁３４ａは毛髪Ｈに対して図示のように直角方向に移動することになるから、毛髪Ｈを確実に切断できるものの、その刃縁３４ａの傾斜角度が毛髪Ｈに対して鋭角から直角に向かうほどその切断機能は向上するが、切断機能が向上するに従い、毛髪Ｈを過剰に切断しがちになり、非切断部の毛髪部と切断部の毛髪部に較差を生じ、いわゆる“虎刈り現象”を発生するおそれがあった。
【０００６】
他方、毛髪Ｈの虎刈り現象を回避するため、過剰な毛髪の切断を抑制することを意図して刃縁３４ａの傾斜角度を変化させようとしても、その作業は必ずしも容易ではなかった。
剃刀３０を自身により頭部の毛髪Ｈを切断する場合、とりわけ、見ることに困難のある頭部の背面の毛髪Ｈを勘といわゆる“こつ”を頼りに行うことになるから、毛髪Ｈの過剰な切断あるいは反対に毛髪の切断量が少量になるおそれがあり、その結果、虎刈りの現象を回避するには困難性が残った。
この虎刈り現象を回避しようとすれば、毛髪Ｈに対する剃刀３０の刃縁３４ａの当接角度を適宜に調整した行う必要があった。
【０００７】
しかし、剃刀３０の刃縁３４ａの傾斜角度を一定に設定し、その角度を保持しつつ、毛髪Ｈの切断を継続的に実施するにはその作業が手作業による性質上極めて困難であり、結局、バランスのとれた毛髪Ｈを調整することが困難であった。
【０００８】
この発明の目的は、前記の背景技術の構成が有していた問題点を解決しようとするものであり、過剰に毛髪を切断したり、その反対に毛髪の切断量が少量になることがなく、とりわけ、虎刈り現象を生じることのないヘアーカット用剃刀を提供することとそのヘアーカット用剃刀に供するヘアーカット交換用剃刀を提供することにある。  
【０００９】
他の目的は、ヘアーカット用剃刀およびヘアーカット交換用剃刀の取扱い時に刃物により、人体の指などを損傷させるおそれのない安全性に優れたヘアーカット用剃刀およびヘアーカット交換用剃刀を提供することにある。
【００１０】
ヘアーカット用剃刀およびヘアーカット交換用剃刀のその他の目的は、以下の説明と図面を参照して容易に理解されるであろう。
【課題を解決するための手段】
【００１１】
第１の課題解決手段は、刃先を備えた少なくとも１個の刃物がヘアーカット剃刀用母材に立起され、該刃先が刃物の立起方向に対して直角方向に配置されてなることを特徴とするものである。    
【００１２】
この明細書において、刃先が刃物の立起方向に対して直角方向に配置されてなるとは、刃物の刃先が刃物の立起方向に対して直角（９０度）に配置されていることのほか、直角より角度が小さい場合、大きい場合を含むものであり、換言すれば、毛髪の切断時に毛髪に沿って擦るようにできる範囲の角度を備えていればよいことを意味するものである。
【００１３】
第２の課題解決手段は、刃先を備えた少なくとも２個の刃物がヘアーカット剃刀用母材に立起され、該刃先が刃物の立起方向に対して直角方向に配置されてなるヘアーカット用剃刀において、少なくとも２個の刃物の刃先が互いに異方向に配置されてなることを特徴とするものである。
【００１４】
第３の課題解決手段は、第１又は第２の課題解決手段において、該刃物の刃先がヘアーカット剃刀用母材の基準線を境にして傾斜されてなることを特徴とするものである。
【００１５】
第４の課題解決手段は、刃先を備えた少なくとも２個の刃物がヘアーカット剃刀用母材に立起され、該刃先が刃物の立起方向に対して直角方向に配置され、少なくとも２個の刃物の刃先が互いに異方向に配置されてなるヘアーカット用剃刀において、該刃物は非並列に配置されてなることを特徴とするものである。
【００１６】
この明細書において、刃物が非並列に配置されてなるとは、刃物が並び連なることなく、平面から見て凹凸など飛び出た状態とその反対に入り込んだ状態を意味する。
【００１７】
第５の課題解決手段は、刃先を備えた少なくとも２個の刃物がヘアーカット剃刀用母材に立起され、該刃先が刃物の立起方向に対して直角方向に配置されてなるヘアーカット用剃刀において、少なくとも２個の刃物の刃先が互いに同方向に配置されてなると共に、該刃物が並列に配置されてなることを特徴とするものである。
【００１８】
第６の課題解決手段は、第１、第２、第３、第４又は第５の課題解手段において、取扱い時の傷害を抑制する制御部材が該刃物の刃先の傍らに設けられてなることを特徴とするものである。
【００１９】
第７の課題解決手段は、第１、第２、第３、第４、第５又は第６の課題解決手段において、取扱い時の傷害を抑制する制御部材がブリッスルを兼ねたものであることを特徴とするものである。
【００２０】
以下に記載する第８〜第１４の課題解決手段は、何れもヘアーカット剃刀用母材に着脱自在に設けられる刃物を有するヘアーカット交換用剃刀に関するものである。
【００２１】
第８の課題解決手段は、刃先を備えた少なくとも１個の刃物が剃刀用母材に立起され、該刃先が刃物の立起方向に対して直角方向に配置されてなるものであって、ヘアーカット剃刀用母材に着脱自在に設けられてなることを特徴とするものである。
【００２２】
第９の課題解決手段は、刃先を備えた少なくとも２個の刃物が剃刀用母材に立起され、該刃先が刃物の立起方向に対して直角方向に配置されてなると共に、少なくとも２個の刃物の刃先が互いに異方向に配置されたものであって、ヘアーカット剃刀用母材に着脱自在に設けられてなることを特徴とするものである。
【００２３】
第１０の課題解決手段は、第８又は第９の課題解決手段において、該刃物の刃先が剃刀用母材の基準線を境にして傾斜されてなることを特徴とするものである。
【００２４】
第１１の課題解決手段は、刃先を備えた少なくとも２個の刃物が剃刀用母材に立起され、該刃先が刃物の立起方向に対して直角方向に配置されてなるものであって、少なくとも２個の刃物の刃先が互いに異方向に配置されると共に該刃物は非並列に配置され、ヘアーカット剃刀用母材に着脱自在に設けられてなることを特徴とするものである。
【００２５】
第１２の課題解決手段は、刃先を備えた少なくとも２個の刃物が剃刀用母材に立起され、該刃先が刃物の立起方向に対して直角方向に配置され、少なくとも２個の刃物の刃先が互いに同方向に配置されてなると共に、該刃物が並列に配置され、ヘアーカット剃刀用母材に着脱自在に設けられてなることを特徴とするものである。
【００２６】
第１３の課題解決手段は、第８、第９第１０、第１１又は第１２の課題解決手段において、該刃物の刃先の傍らに取扱い時の傷害を抑制する制御部材が設けられてなることを特徴とするものである。
【００２７】
第１４の課題解決手段は、第８、第９第１０、第１１、第１２又は第１３の課題解決手段において、取扱い時の傷害を抑制する制御部材がブリッスルを兼ねたものであることを特徴とするものである。
【発明の効果】
【００２８】
第１の課題解決手段は、上記のように構成されているから、以下の作用効果を奏する。
このヘアーカット用剃刀の刃体側を毛髪に向け、かつ、頭皮に沿わせて一般的には頭部の頂部側から首側に移動させる。
この場合、刃物の刃先は背景技術のように毛髪に対して直角方向に接することなく、その刃先は毛髪を擦るようにして移動するから、毛髪は段を生じることなく、１本の毛髪についていえば切断開始部から切断末尾部にかけて斜めに切断される（図６を参照）。
【００２９】
この発明では、剃刀を移動させることにより、刃物の刃先が毛髪の長さ方向に追従して下方に向けられ、毛髪を擦るようにあるいは削るようにして刃先の移動とともに毛髪が徐々に切断される（図４、図５、図６を参照）。
【００３０】
この場合、刃物の刃先は毛髪に沿うようにして接触しつつ切断することになるから、毛髪の切断量は頭側から首側にかけて徐々に少なくなる。
このことは、毛髪が一般的に毛根側が太く毛髪の先端側にかけて徐々に細くなっている点に着目したとき、毛髪は自然の生え具合に疑似化され、いわゆる虎刈りを生じない（図４、図５、図６を参照）。
【００３１】
第２の課題解決手段は、上記のように構成されているから、第１の課題解決手段と共通の作用効果を奏することのほか以下の作用効果を奏する。
頭部の背面側の毛髪を切断する場合、一般的にヘアーカット剃刀を右手に持ち頭部の背面側の右側から首側の左方向にかけてヘアーカット剃刀を移動させる場合とその反対にヘアーカット剃刀を左手に持ち頭部の背面側の左側から首側の右方向にかけて剃刀を円弧を描くように移動させる場合に分けられる。
そして、これらの場合、刃物の刃先はその移動方向に向けられていることが希望される。
【００３２】
しかし、その希望を満足させるには、該剃刀を右手用と左手用に分けて生産する必要があるが、両者を別々に分けて生産することは煩雑であり、かつ、生産コストの増加を招くから、この発明者は、前記したように刃物の刃先を異方向に配置することにより、いわば左右に兼用できる。
【００３３】
第３の課題解決手段は、上記のように構成されているから、以下の作用効果を奏する。
第１又は第２の課題解決手段が奏する作用効果のほか、刃先がヘアーカット剃刀用母材の基準線を境にして傾斜されてなるから、一層、毛髪の切断機能の向上化に寄与する。
【００３４】
つまり、毛髪の切断は人体の球状の頭皮に沿わせておこなわれるが、この場合刃物の刃先は円弧を描くように一定範囲の角度を以て移動する。
そこで、その移動する場合の角度に対応させて刃先が傾斜されていることにより、理想に近い切断角度を得ることができ、よって一層、好ましい毛髪の切断を行うことができる。
【００３５】
第４の課題解決手段は、上記のように構成されているから、以下の作用効果を奏する。
第２の課題解決手段と共通する作用効果を奏することのほか、刃物が非並列に配置されているから、とりわけ、短い毛髪の場合たとえば、男性の毛髪の場合、
毛髪が飛び出た状態に存在する刃物の刃先に引っ掛かり易いので短い毛髪の切断に寄与する。
【００３６】
第５の課題解決手段は、上記のように構成されているから、以下の作用効果を奏する。
第１の課題解決手段と共通する作用効果を奏することのほか、刃物の刃先が互いに同方向に配置されてなると共に、該刃物が並列に配置されてなるから、一層切断機能の向上化を期待できる。
【００３７】
第６の課題解決手段は、上記のように構成されているから、以下の作用効果を奏する。
第１、第２、第３、第４又は第５の課題解決手段が奏する作用効果のほか、ヘアーカット剃刀の取扱い時の傷害を抑制する制御部材が刃先の傍らに設けられてなるから、指などに傷害を生じるおそれがない。
【００３８】
第７の課題解決手段は、上記のように構成されているから、以下の作用効果を奏する。
第１、第２、第３、第４、第５又は第６の課題解決手段が奏する作用効果のほか、制御部材がブリッスルを兼ねたものであるから、刃物とブリッスルにより毛髪を梳きつつ、切断を行うことができる。
【００３９】
第８の課題解決手段は、上記のように構成されているから、以下の作用効果を奏する。
このヘアーカット交換用剃刀がヘアーカット剃刀本体に装着されることにより、第１の課題解決手段と共通する作用効果を奏することのほか、剃刀の劣化に備えてヘアーカット交換用剃刀を交換できるから、切れ味の良いヘアーカット剃刀を常時に手軽に得ることができる。      
【００４０】
第９の課題解決手段は、上記のように構成されているから、以下の作用効果を奏する。
第２および第８の課題解決手段と共通する作用効果を得ることができる。
【００４１】
第１０の課題解決手段は、上記のように構成されているから、以下の作用効果を奏する。
第３および第８の課題解決手段と共通する作用効果を得ることができる。
【００４２】
第１１の課題解決手段は、上記のように構成されているから、以下の作用効果を奏する。
第４および第８の課題解決手段と共通する作用効果を得ることができる。
【００４３】
第１２の課題解決手段は、上記のように構成されているから、以下の作用効果を奏する。
第５および第８の課題解決手段と共通する作用効果を得ることができる。
【００４４】
第１３の課題解決手段は、上記のように構成されているから、以下の作用効果を奏する。
第６および第８の課題解決手段と共通する作用効果を得ることができる。
【００４５】
第１４の課題解決手段は、上記の構成であるから、以下の作用効果を奏する。
第７および第８の課題解決手段と共通する作用効果を得ることができる。
【発明を実施するためにの最良の形態】
【００４６】
この発明の実施の形態に係るヘアーカット用剃刀１０およびヘアーカット交換用剃刀２０の発明を図面を参照して説明する。
【００４７】
実施の形態１のヘアーカット用剃刀１０について説明する。
この例は、刃先１２ａを備えた刃物１２がヘアーカット用剃刀用母材１４上に固定され、刃物１２は並列であって、５個の刃物１２のそれぞれの刃先１２ａは同方向であって図面上刃先１２ａが左側に向けられた例である（図１を参照）。
【００４８】
なお、詳細については追ってさらに説明するが、図１に示される例は、頭部Ｔの頭皮の毛髪の背面において右側から首側にかけて毛髪を切断する場合の好ましい例であり、いわば右手用といえる。
他方、図２に示される例は図１の例と対称に刃先１２ａが図面上右側に向けられた左手用といえる。
【００４９】
これらの例は、それぞれ刃先１２ａを備えた刃物１２がヘアーカット用剃刀用母材１４に立起され、その刃先１２ａが刃物１２の立起方向に対して直角方向に配置されてなることを基本的構成とするものある。
ヘアーカット用剃刀用母材１４の一端にハンドル１６を設けることはこの種の剃刀１０では一般的ではあるが、ハンドル１６は使用上の単なる便宜上のものであるから、この発明において必須とするものではない。    
【００５０】
刃先１２ａを備えた刃物１２の数は、原則的に１個で足りるものの、一般的には２個以上たとえば、図１、図２に示されるように５個程度立起されていることが好ましい。
【００５１】
刃物１２の具体的構成をさらに図３を参照して説明すると、長方形の薄い板状の刃物１２が断面略Ｕ状のプラスチックス製の刃物用カバー１２ｂ内に刃先１２ａをそのカバー１２ｂの開放側に露出させて内装されている。
刃物１２は一般的に知られるように金属製であるから頭皮の毛髪を切断する場合、危険の抑制に配慮を欠くことができない。
【００５２】
そこで、この発明では、刃物１２がその使用時に人体の頭皮に妄り接触して傷害を与えることのないように毛髪の切断に必要な刃先１２ａ側を除いてその周囲の大部分は前記した刃物用カバー１２ｂとヘアーカット用剃刀用母材１４により被覆されている。
【００５３】
また、刃物１２は前記したように、一般的には薄い板状のものであり、強度に欠けることを否めないから、刃物用カバー１２ｂ内に内装させることにより、刃物１２の強度の増加を図ることも意図されている。
【００５４】
さらにいえば、刃物用カバー１２ｂにプラスチックスを採用する場合は、その材質により、剃刀１０の使用時における頭皮に対する傷害の回避に寄与できる有利性もある。
【００５５】
刃物１２のカバー１２ｂには、図３に示されるように、刃物１２の刃先１２ａの延長線に対して直角方向に刃先１２ａの延長線を越えて僅かに飛び出た突起１２ｃが一定間隔毎に３個設けられている。
これらの突起１２ｃにより、カバー１２ｂの強度の増加を図ることができることのほか、突起１２ｃを一定の間隔毎に設けることにより、切断時に隣接する刃物１２間に導入される毛髪Ｈを突起１２ｃにより分断できる。
【００５６】
したがって、毛髪Ｈが刃先１２ａの局部に集中されないので、刃先１２ａに集中応力が奏しないから、毛髪Ｈを円滑に切断できるほか、刃先１２ａに負荷がかからない。
【００５７】
刃物１２の刃先１２ａの傍らに立起されピン状のものは、剃刀１０の取扱い時における人体の指先などを保護する制御部材１８である。
この制御部材１８は、毛髪Ｈの切断時に刃先１２ａへ導入される毛髪Ｈに対して障害にならないようにその位置は、刃先１２ａの中心線から例えば５ｍｍ程度左右に外れていることが好ましい。
【００５８】
この発明の実施の形態１についてその作用効果を説明する（図４、図５、図６を参照）。
ヘアーカット用剃刀１０の刃物１２側を毛髪Ｈに向け、かつ、頭皮Ｔに沿わせて一般的には頭部の頂部から首側に移動させる。
この場合、刃物１２の刃先１２ａは背景技術のように毛髪Ｈに対して直角方向に接することなく、その刃先１２ａは毛髪Ｈに沿って毛髪Ｈを擦るようにして移動する。
【００５９】
この点をさらに詳細に説明すると、剃刀１０を移動させることにより、刃物１２の刃先１２ａが毛髪Ｈの長さ方向に追従するようにして人体の首側に向けられ、毛髪Ｈに沿って、かつ、毛髪Ｈを擦るようにして図４、図５の矢印Ｙ方向に向けてその移動とともに毛髪Ｈが徐々に切断される。
この場合、刃物１２の刃先１２ａは毛髪Ｈに対して背景技術のように直角方向に刃体３２が移動することなく鋭角方向に移動する。
【００６０】
そして、鋭角方向に移動する刃先１２ａは頭部の上方に位置する毛髪Ｈから首側に位置する毛髪Ｈにかけて徐々に移動することになるが、この場合、刃先１２ａの移動方向は毛髪Ｈに対して平行に近い鋭角方向であるから、刃先１２ａは決して毛髪Ｈに対して直角方向に移動しないので、背景技術の刃縁３４ａが毛髪に対してして直角方向に移動するものと異なり、毛髪Ｈをいわば削るようにして切断でき、先細の状態による毛髪Ｈを得ることができるから、違和感のない毛髪の美粧を行うことができる（図６を参照）。
【００６１】
したがって、毛髪Ｈの切断部と非切断部との切断量に較差が生じないから、虎刈りを発生することなく、毛髪の調整を平均化して行うことができる。
【００６２】
実施の形態２について説明する。
この形態２を図７を参照して説明する。
この例は、発明の本質において実施の形態１と比較して相違が少ないから、原則的に相違する構成について言及し、共通する構成については前記した実施の形態１の説明を援用する。
【００６３】
ハンドル１６を有するヘアーカット用剃刀用母材１４には、刃先１２ａを備えた６個の刃物１２が並列に立起されている。
実施の形態１の刃物１２の刃先１２ａは全て同方向であったが、この例では図示のように６個の刃物１２の刃先１２ａは、隣接する刃先１２ａ毎にその向きが異方向に配置されている。
これらの刃先１２ａの配置方向は、図示の例では互いに１８０度異なるが、１８０度に制約されない。
【００６４】
刃物１２の刃先１２ａの傍らにピン状の制御部材１８が設けられていることは実施の形態１と共通である。
【００６５】
この例は、刃物１２の刃先１２ａが互いに異方向に設けられてなることにより、使用に際して前記の説明から明らかなように左右兼用できる利点を有することは、実施の形態１の説明から容易に理解されるであろう。
【００６６】
実施の形態３について説明する。
この例は、発明の本質において実施の形態１と比較して相違が少ないから、原則的に相違する構成について言及し、共通する構成については前記した実施の形態１の説明を援用する。
【００６７】
この例を、図８、図９を参照して説明すると、前記した実施の形態１では、刃物１２は傾斜されることなく、平行に設けられているが、この実施の形態では刃物１２の刃先１２ａの向きを同方向に設定しつつ、基準線Ｌを境にして図面上右上方に傾斜されたものと、基準線Ｌを境にして図面上左上方に傾斜されたものが設けられている（図８、図９を参照）。
【００６８】
したがって、この実施の形態は、使用に際して右手用と左手用に供するものである点で実施の形態１と共通である。
【００６９】
ヘアーカット用剃刀１０の使用時の毛髪Ｈに対する刃先１２ａの角度は、使用者の好み、毛髪Ｈの梳き部位や切断する部位により、異なることが少なくない。
さらに、利き腕の相違によっても毛髪Ｈに対する角度が相違することが予測される。
【００７０】
そこで、発明者は、前記の使用条件の相違を考慮し、実験的に使用角度の研究を試みた。
その結果、たとえば、利き腕が右利きであって、右後頭部の毛髪Ｈを右側から首方向に向けてヘアーカット用剃刀１０を斜めに移動させて、毛髪Ｈを梳き、かつ、切断する場合を基準としたとき、刃物１２の刃先１２ａの傾斜角度は、ヘアーカット剃刀用母材１４の基準線Ｌに対して図面上左上方に１０〜８０度の範囲、このましくは６０度程度傾斜されていることが適当であることが判明した（図８を参照）。
【００７１】
他方、利き腕が左利きであって、左後頭部の毛髪Ｈを梳き、かつ、切断する場合を基準としたときのその傾斜角度は、前記と対称的にヘアーカット剃刀用母材１４の基準線Ｌに対して図面上右上１００〜１７０度の範囲、このましくは１２０度が適当であることが判明した（図９を参照）。
【００７２】
実施の形態４について説明する。
この例は、発明の本質において実施の形態１と比較して相違が少ないから、原則的に相違する構成について言及し、共通する構成については前記した実施の形態１の説明を援用する。
【００７３】
この例を、図１０を参照して説明すると、前記した実施の形態１では、刃物１２の刃先１２ａは一側にのみ設けられたが、この例では刃物１２の両側に刃先１２ａが設けられることにより、左右の区分に拘わりなく使用上の便宜が配慮された例である。
その他の構成は実施の形態１と相違しない。
【００７４】
実施の形態５について説明する。
この例は、発明の本質において実施の形態１と比較して相違が少ないから、原則的に相違する構成について言及し、共通する構成については前記した実施の形態１の説明を援用する。
【００７５】
この例を、図１１を参照して説明すると、前記した実施の形態１では、刃物１の刃先１２ａが同方向に配置され、刃物１２が並列に配置されたものであったが、この例では、図示のように６個の刃物１２n1、１２n2、１２n3、１２n4、１２n5、１２n6が非並列に配置されている。
つまり、平面から見たとき隣接する６個の刃物１２nらはそれぞれの刃先ａの向きを互い違いしている。
【００７６】
そして、６個の刃物１２n1、１２n2、１２n3、１２n4、１２n5、１２n6が図１１に示されるように図の左端から右端にかけて第１番目の刃物１２n1（左端）の刃先１２ａが図面上の上方に位置し、第２番目の刃物１２n2の刃先１２ａが図面上下方に向けられ、かつ、刃物１２n2が図面上上方に飛び出し、以下順次、第３番目の刃物１２n3の刃先１２ａが第１番目の刃物１２n1の刃先１２ａと共通に図面上上方に位置し、第４番目の刃物１２n4は第２番目の刃物１２n2と共通に設定され、以下、前記した構成が反復され第５番目の刃物１２n5、第６番目（右端）の刃物１２n6が凹凸状つまり非並列に構成されている。
【００７７】
このような構成による場合、図面上、左端に位置する第１番目の刃物１２n1と右端に位置する第６番目の刃物１２n6のそれぞれの刃先１２ａの傍らには、剃刀１０の取扱い時における指などの傷害を抑制することを目的としてそれぞれ前記した安全ピンなどの制御部材１８を設けることが望まれる。
【００７８】
一方、これらの両者の刃物１２n1、n6間に位置する刃物１２n2、n3、n4、n5の各刃先１２ａはそれぞれ隣接するそれぞれの刃物１２n1、１２n2、n3、n4、n5、n6の刃先１２ａと反対側から内側にそれぞれ位置することになる。
したがって、刃先１２ａが隣接する刃物１２n1、１２n2、n3、n4、n5、n6の刃先１２ａと反対側の内側に位置することから、剃刀１０の取扱い時における指などはこれらの刃物１２n1、１２n2、n3、n4、n5、n6のそれぞれの刃先１２ａと反対側が干渉するから、両側の刃物１２n1、n6の刃先１２ａを除き、前記した制御部材１８は必ずしも必要としない。
とくに、刃物１２n1、１２n2、n3、n4、n5、n6がそれぞれ前記した刃物用カバー１２ｂに内装されている場合は、剃刀１０の取扱い時に指などがこの刃物用カバー１２ｂの干渉されることになるから、傷害のおそれがない。
【００７９】
実施の形態６について説明する。
この例は、発明の本質において実施の形態１と比較して相違が少ないから、原則的に相違する構成について言及し、共通する構成については前記した実施の形態１の説明を援用する。
【００８０】
この例を、図１２を参照して説明すると、前記した実施の形態１では、刃物１２の周囲にはいわゆるブリッスルが立起されていないが、この実施の形態では、前記したブリッスルを兼ねた制御部材１８が刃先１２ａの傍らに多数本が立起されているものである。
【００８１】
図１２に示される刃物１２の構成は、前記した実施の形態５に示される例と対称であるが、何ら制約されない。
【００８２】
この明細書の用語「ブリッスル」とは、ブラシ歯、梳き歯、ブラシ毛、くし歯など多様に称されているが、これらの用語と共通のものである。
一般的には細長いピン状のものであるが、横断面が円形のほか、角張って指などに傷害を与えるようなものでなければ形態を問わない。
【００８３】
なお、制御部材１８がブリッスルを兼ねているものである場合、毛髪Ｈを梳きつつ毛髪Ｈの切断を行うことができる。
【００８４】
次にこの発明のさらに他の実施の形態について説明する。
以下に説明する例は、前記したヘアーカット用剃刀１０の刃物１２の使用による劣化に備えてヘアーカット剃刀用母材１４にヘアーカット交換用剃刀２０を着脱自在としたものである。                                                
【００８５】
ヘアーカット交換用剃刀２０の詳細は図１３〜図１５を参照して明らかであるが、刃物１２がヘアーカット剃刀用母材１４に非着脱の状態で装着されているヘアーカット用剃刀１０に対して、このヘアーカット交換用剃刀２０では、ヘアーカット剃刀用母材１４に刃物１２を装着するに代えて剃刀用母材２２に刃物１２や制御部材１８が設けられている相違に止まるから、前記したヘアーカット用剃刀１０と共通する構成についてはその説明を援用し、その記載を省略する。
【００８６】
また、ヘアーカット用剃刀１０を着脱可能にする剃刀用母材２２の構成を併せて説明する（図１３、図１４、図１５を参照）。
【００８７】
ヘアーカット用剃刀１０は、刃物１２が剃刀用母材２２に立起され、前記の刃物１２の傍らに制御部材１８が立起されている（図１３、図１４を参照）。
この実施の形態では、刃物１２が５個設けられてれいるが、その数は必要に応じて設けることは前記したヘアーカット用剃刀１０の場合と同様に自由である。
【００８８】
ヘアーカット用剃刀１０は、剃刀用母材２２に形成された嵌合孔２４に着脱自在に設けるようにしたものであるから、刃物用母材２２が嵌合孔２４の形態に対応して設けられている（図１３〜図１５を参照）。
【００８９】
さらに具体的にいえば、該母材２２の一側は波状の凹凸面２２ａとして形成され、一方、ヘアーカット剃刀用母材１４の嵌合孔２４の一側は、母材２２の一側の波状の凹凸面２２ａに対応させて波状の凹凸面として形成されている（図１４を参照）。
【００９０】
さらに、母材２２の長手方向の両側にはストッパー２２ｂ、２２ｂが形成されている。
一方、ヘアーカット剃刀用母材１４の表面側における嵌合孔２４の開口の両側には、前記のストッパー２２ｂ、２２ｂに対応する係合段部２２ｅ、２２ｅが形成されている（図１５を参照）。
【００９１】
かくして、このヘアーカット用剃刀１０の刃物１２側をヘアーカット剃刀用母材１４の表面から下面に向け、刃物用母材２２をヘアーカット剃刀用母材１４の嵌合孔２４に嵌合する。
【００９２】
そして、該母材２２の波状の凹凸面２２ａが、ヘアーカット剃刀用母材１４の嵌合孔２４の波状の凹凸面に嵌合され、さらに、該母材２２に設けられたストッパー２２ｂ、２２ｂがヘアーカット剃刀用母材１４の係合段部２２ｅ、２２ｅにより支持され、ヘアーカット交換用剃刀２０をヘアーカット剃刀用母材１４に妄動することなく、確実に装着でき、ヘアーカット交換用剃刀２０を取り外しに備えて該母材２２につまみ２２ｃが設けられている（図１３を参照）。
【００９３】
かくして、前記のヘアーカット交換用剃刀２０の該母材２２をヘアーカット剃刀用母材１４の嵌合孔２４に嵌合することにより、刃先１２ａを備えた刃物１２がヘアーカット剃刀用母材１４上に立起されたヘアーカット用剃刀１０を得ることができる（図１３、図１４を参照）。
ヘアーカット交換用剃刀２０が装着されたヘアーカット用剃刀の作用効果は、前記したヘアーカット用剃刀１０の作用効果を共通である。
刃物１２が劣化した際に、ヘアーカット交換用剃刀２０をヘアーカット剃刀用母材１４から取り外し、新規のヘアーカット交換用剃刀２０を装着することにより、切断機能にすぐれたヘアーカット用剃刀を手軽に得ることができる。
【図面の簡単な説明】
【００９４】
【図１】この発明の実施の形態１に係るヘアーカット用剃刀の斜視図
【図２】この発明の実施の形態１に係る他のヘアーカット用剃刀の斜視図
【図３】この発明の実施の形態に係るヘアーカット用剃刀の要部の拡大側面図
【図４】この発明の実施の形態に係るヘアーカット用剃刀の使用状態を示す拡大説明図
【図５】この発明の実施の形態に係るヘアーカット用剃刀の使用状態を示す拡大説明図
【図６】この発明の実施の形態に係るヘアーカット用剃刀による毛髪の切断状態を示す拡大説明図
【図７】この発明の実施の形態２に係るヘアーカット用剃刀の斜視図
【図８】この発明の実施の形態３に係るヘアーカット用剃刀の斜視図
【図９】この発明の実施の形態３に係る他のヘアーカット用剃刀の斜視図
【図１０】この発明の実施の形態４に係るヘアーカット用剃刀の斜視図
【図１１】この発明の実施の形態５に係るヘアーカット用剃刀の斜視図
【図１２】この発明の実施の形態６に係るヘアーカット用剃刀の斜視図
【図１３】この発明の実施の形態に係るヘアーカット交換用剃刀の斜視図
【図１４】この発明の実施の形態に係るヘアーカット交換用剃刀の使用状態を示す斜視図
【図１５】図１３の要部の拡大断面図
【図１６】背景技術の要部の拡大正面図
【図１７】背景技術の要部のさらに拡大正面図
【図１８】背景技術の使用状態を示す拡大説明図
【図１９】背景技術のヘアーカット用剃刀による毛髪の切断状態を示す拡大説明図
【符号の説明】
【００９５】
１０  ヘアーカット用剃刀
１２  刃物
１２ａ  刃物の刃先
１４  ヘアーカット剃刀用母材
１６  ハンドル
１８  制御部材
２０  ヘアーカット交換用剃刀 
２２ａ  凹凸面  
２２ｂ  ストッパー
２２ｃ  つまみ  
２２ｅ  係合段部
２４  嵌合孔
Ｈ  毛髪
Ｔ  頭部
【図１】
2006246905.tif 000003
【図２】
2006246905.tif 000004
【図３】
2006246905.tif 000005
【図４】
2006246905.tif 000006
【図５】
2006246905.tif 000007
【図６】
2006246905.tif 000008
【図７】
2006246905.tif 000009
【図８】
2006246905.tif 000010
【図９】
2006246905.tif 000011
【図１０】
2006246905.tif 000012
【図１１】
2006246905.tif 000013
【図１２】
2006246905.tif 000014
【図１３】
2006246905.tif 000015
【図１４】
2006246905.tif 000016
【図１５】
2006246905.tif 000017
【図１６】
2006246905.tif 000018
【図１７】
2006246905.tif 000019
【図１８】
2006246905.tif 000020
【図１９】
2006246905.tif 000021